(57)【要約】【課題】本発明は、編集装置の種類を問わず、いずれの編集装置においても一段と高度な編集処理を実行できるようにする。【解決手段】本発明は、映像データＶＤ１０〜ＶＤ１２と、音声データＡＤ１０及びＡＤ１１とを編集してシーケンスデータＳＤ１０を生成するための編集内容がＳＭＩＬで記述されたＳＭＩＬファイルＳＦ１０を基にノンリニア編集用シーケンスデータＮＳＤ１０を生成し、当該ノンリニア編集用シーケンスデータＮＳＤ１０に対して編集処理を実行し、編集処理に応じてＳＭＩＬファイルＳＦ１０Ｎを生成するようにしたことにより、編集装置の種類に関わらず一段と高度な編集処理を実行することができる。【選択図】        図１
2004310889.tif 000002
【特許請求の範囲】
【請求項１】
複数の被編集素材を編集して一連の映像コンテンツを生成するための編集内容が汎用データ記述言語で記述された編集リストを認識する編集リスト認識部と、
上記編集リストの上記編集内容に基づいて上記複数の被編集素材を編集処理することにより上記映像コンテンツを生成する映像コンテンツ生成部と、
上記映像コンテンツ生成部によって生成された上記映像コンテンツに対して編集処理を実行する編集処理部と、
上記編集処理部によって実行された上記編集処理に応じて上記汎用データ記述言語で記述した新たな上記編集リストを生成する編集リスト生成部と
を具えることを特徴とする編集装置。
【請求項２】
上記編集リスト認識部は、
上記編集処理の内容としてエフェクト情報及びメタデータ情報が記述された上記編集リストを認識する
ことを特徴とする請求項１に記載の編集装置。
【請求項３】
上記映像コンテンツ生成部は、
上記複数の被編集素材を編集処理に最適化した所定の編集用フォーマットに変換した後に上記編集処理を実行することにより上記映像コンテンツを生成する
ことを特徴とする請求項１に記載の編集装置。
【請求項４】
上記編集リスト認識部は、
上記汎用データ記述言語としてＸＭＬ（ｅＸｔｅｎｓｉｂｌｅ  Ｍａｒｋｕｐ  Ｌａｎｇｕａｇｅ）で記述された上記編集リストを認識する
ことを特徴とする請求項１に記載の編集装置。
【請求項５】
上記編集リスト認識部は、
上記ＸＭＬを映像データや音声データに特化したＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）で記述された上記編集リストを認識する
ことを特徴とする請求項４に記載の編集装置。
【請求項６】
複数の被編集素材を編集して一連の映像コンテンツを生成するための編集内容が汎用データ記述言語で記述された編集リストを認識する編集リスト認識ステップと、
上記編集リストの上記編集内容に基づいて上記複数の被編集素材を編集処理することにより上記映像コンテンツを生成する映像コンテンツ生成ステップと、
上記映像コンテンツ生成ステップによって生成された上記映像コンテンツに対して上記編集処理を実行する編集処理ステップと、
上記編集処理ステップによって実行された上記編集処理に応じて上記汎用データ記述言語で記述した新たな上記編集リストを生成する編集リスト生成ステップと
を具えることを特徴とする編集方法。
【発明の詳細な説明】
【０００１】
【発明の属する技術分野】
本発明は編集装置に関し、特に編集処理を実行した際に当該編集処理に基づいて編集リストを作成し得るようになされたノンリニア編集装置に適用して好適なものである。
【０００２】
【従来の技術】
従来、ハードディスク等のランダムアクセス可能な記録媒体に保存した映像データや音声データ等の様々な素材データを読み出し、当該素材データの所望部分を繋ぎ合わせるといった編集処理を実行することにより一連の映像音声データ（以下、これをシーケンスデータと呼ぶ）を生成し得るようになされた編集装置（以下、これをノンリニア編集装置と呼ぶ）がある。
【０００３】
この種のノンリニア編集装置は、上述のような編集処理を実行してシーケンスデータを生成すると共に、当該編集処理の内容を示す編集処理情報を用いて編集リストを生成するようになされている。（例えば、特許文献１参照）
【０００４】
この編集リストは、編集処理情報が一般にＥＤＬ（Ｅｄｉｔ  Ｄｅｃｉｓｉｏｎ  Ｌｉｓｔ）と呼ばれる記述形式で記述されたテキストファイルであり、以下、これをＥＤＬファイルと呼ぶことにする。
【０００５】
このようなノンリニア編集装置においては、図１３に示すように、例えば歴史的建造物の映像が記録された映像データＶＤ１、ＶＤ２及びＶＤ３におけるそれぞれの所望映像部分ＶＣ１、ＶＣ２及びＶＣ３（以下、これらを映像クリップＶＣ１、ＶＣ２及びＶＣ３と呼ぶ）と、例えばクラシック音楽が記録された音声データＡＤ１の所望音声部分ＡＣ１（以下、これを音声クリップＡＣ１と呼ぶ）とをタイムライン上で任意に繋ぎ合わせる編集処理を実行した場合、歴史的建造物の映像と共にクラシック音楽が流れるように編集されたシーケンスデータＳＤ１を生成し得るようになされている。
【０００６】
このときノンリニア編集装置は、シーケンスデータＳＤ１を生成する際に実行した編集処理内容に基づいて映像データＶＤ１〜ＶＤ３及び音声データＡＤ１におけるそれぞれの素材データ名、映像クリップＶＣ１〜ＶＣ３及び音声クリップＡＣ１を指定するためのイン点及びアウト点を示す編集点情報、再生速度情報等を編集処理情報として用いることによりＥＤＬファイルを生成するようになされている。
【０００７】
【特許文献１】
特開２００２−２４７５０公報（第４項、第４図）
【０００８】
【発明が解決しようとする課題】
ところでかかる構成のノンリニア編集装置においては、種類の異なる他のノンリニア編集装置との間ではＥＤＬファイルの記述形式が必ずしも統一されていないため、例えばあるノンリニア編集装置で作成したＥＤＬファイルが、当該ノンリニア編集装置とは異なる種類の他のノンリニア編集装置では読み込むことができず、当該他のノンリニア編集装置では当該ＥＤＬファイルを基にした編集処理を実行できないという問題があった。
【０００９】
またＥＤＬファイルに記述できる編集処理情報としては、素材データ名、イン点及びアウト点を示す編集点情報、再生速度情報等に限定されており、ズームイン及びズームアウト処理、ワイプ処理、フェードイン及びフェードアウト処理等のエフェクト情報やメタデータ情報といった細かな編集処理情報をＥＤＬファイルに記述することはできない。
【００１０】
このためノンリニア編集装置においては、ＥＤＬファイルを基にエフェクト情報等を駆使した高度な編集処理を実行し得ないという問題があった。
【００１１】
本発明は以上の点を考慮してなされたもので、編集装置の種類を問わず、いずれの編集装置においても一段と高度な編集処理を実行し得る編集装置を提案しようとするものである。
【００１２】
【課題を解決するための手段】
かかる課題を解決するため本発明においては、複数の被編集素材を編集して一連の映像コンテンツを生成するための編集内容が汎用データ記述言語で記述された編集リストを認識する編集リスト認識部と、編集リストの編集内容に基づいて複数の被編集素材を編集処理することにより映像コンテンツを生成する映像コンテンツ生成部と、映像コンテンツ生成部によって生成された映像コンテンツに対して編集処理を実行する編集処理部と、編集処理部によって実行された編集処理に応じて汎用データ記述言語で記述した新たな編集リストを生成する編集リスト生成部とを設けるようにした。
【００１３】
これにより汎用性のある汎用データ記述言語で記述された編集リストに基づいて編集処理を実行することができると共に、編集処理に応じて新たな編集リストを生成することができるので、編集装置の種類を問わず、いずれの編集装置においても編集処理を実行することができる。
【００１４】
また本発明においては、編集処理の内容としてエフェクト情報及びメタデータ情報が記述された編集リストを編集リスト認識部で認識するようにした。
【００１５】
これにより多様な編集処理に応じた編集リストを認識することができるので、当該編集リストを基に一段と高度な編集処理を実行することができる。
【００１６】
【発明の実施の形態】
以下図面について、本発明の一実施の形態を詳述する。
【００１７】
（１）本発明による編集システムの全体構成
図１において、１は全体として本発明を適用した編集システムを示し、サーバ２と、ノンリニア編集装置３Ａ及び３Ｂとがインターネット４を介して接続されている。
【００１８】
サーバ２は、映像データＶＤ１０、ＶＤ１１、…や音声データＡＤ１０、ＡＤ１１、…等の素材データと、後述するＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）ファイルＳＦ１０、ＳＦ１１、…とを蓄積している。
【００１９】
ＳＭＩＬファイルは、インターネット４上の様々なプラットフォーム上で種々のデータをやりとりすることが可能で記述形式に依存することのない汎用データ記述言語であるＸＭＬ（ｅＸｔｅｎｓｉｂｌｅ  Ｍａｒｋｕｐ  Ｌａｎｇｕａｇｅ）を映像データや音声データ等のマルチメディアデータのやりとりに特化させることによりマルチメディアデータ記述言語であるＳＭＩＬ形式のファイルにしたものである。
【００２０】
実際上、ＳＭＩＬファイルＳＦ１０には、例えば図２に示すように映像データＶＤ１０、ＶＤ１１及びＶＤ１２におけるそれぞれの映像クリップＶＣ１０、ＶＣ１１及びＶＣ１２と、音声データＡＤ１０及びＡＤ１１におけるそれぞれの音声クリップＡＣ１０及びＡＣ１１とをタイムライン上で任意に繋ぎ合わせてシーケンスデータＳＤ１０を生成するための編集処理情報が記述されている。
【００２１】
ここで編集処理情報としては、映像データＶＤ１０〜ＶＤ１２及び音声データＡＤ１０、ＡＤ１１におけるそれぞれの素材データ名、映像クリップＶＣ１０〜ＶＣ１２及び音声クリップＡＣ１０、ＡＣ１１を示すイン点及びアウト点を表す編集点情報、再生速度情報等がＳＭＩＬファイルＳＦ１０に記述されていると共に、シーケンスデータＳＤ１０に施されるワイプ処理、フェードイン及びフェードアウト処理、クロスフェード処理、ズームイン及びズームアウト処理、ＰｉｎＰ（Ｐｉｃｔｕｒｅ  ｉｎ  Ｐｉｃｔｕｒｅ）処理等を示すエフェクト情報や、シーケンスデータＳＤ１０の属性等を示すメタデータ情報等がＳＭＩＬファイルＳＦ１０に記述されている。
【００２２】
すなわちＳＭＩＬファイルＳＦ１０は、ＳＭＩＬ形式で構成されていることにより、素材データ名、イン点及びアウト点情報、再生速度情報等のＥＤＬで記述できる編集処理情報に加えて、さらにエフェクト情報やメタデータ情報といった多様な編集処理に応じた編集処理情報を記述することができる。
【００２３】
一方、ノンリニア編集装置３Ａ及び３Ｂは、サーバ２に蓄積されたＳＭＩＬファイルＳＦ１０、ＳＦ１１、…及び映像データＶＤ１０、ＶＤ１１、…や音声データＡＤ１０、ＡＤ１１、…等の素材データをインターネット４を介してダウンロードし、これらを基に編集処理を実行し得るようになされている。
【００２４】
（２）ノンリニア編集装置の構成
次に、ノンリニア編集装置３Ａ及び３Ｂの構成を説明するが、当該ノンリニア編集装置３Ａ及び３Ｂは同様の構成であるため、ここではノンリニア編集装置３Ａの構成のみを説明し、ノンリニア編集装置３Ｂの構成については省略する。
【００２５】
図３に示すようにノンリニア編集装置３Ａは、ＣＰＵ（Ｃｅｎｔｒａｌ  Ｐｒｏｃｅｓｓｉｎｇ  Ｕｎｉｔ）構成でなる制御部１０にワークエリアとして用いられるＲＡＭ（Ｒａｎｄｏｍ  Ａｃｃｅｓｓ  Ｍｅｍｏｒｙ）１１が接続されている。
【００２６】
またノンリニア編集装置３Ａにおいては、制御部１０に対して、サーバ２やノンリニア編集装置３Ｂとインターネット４を介してＳＭＩＬファイルＳＦ１０、ＳＦ１１…及び映像データＶＤ１０、ＶＤ１１、…や音声データＡＤ１０、ＡＤ１１、…等の素材データのやりとりを行うネットワークインタフェース１２、オペレータからの各種命令を制御部１０へ伝える操作部１３、ハードディスク１４、映像データ処理部１５及び音声データ処理部１６がバス１７を介して接続されている。
【００２７】
さらにノンリニア編集装置３Ａにおいては、映像データ処理部１５に対して第１のディスプレイ１８及び第２のディスプレイ１９が接続され、音声データ処理部１６に対してスピーカ２０が接続されている。
【００２８】
実際上、ノンリニア編集装置３Ａは、ネットワークインタフェース１２を介してサーバ２から例えばＳＭＩＬファイルＳＦ１０と、当該ＳＭＩＬファイルＳＦ１０に記述された素材データ名に対応する映像データＶＤ１０、ＶＤ１１、ＶＤ１２及び音声データＡＤ１０、ＡＤ１１とをダウンロードし、ＳＭＩＬファイルＳＦ１０を編集リストとして利用することによりノンリニア編集装置３Ａにおける編集処理に最適化した所定の編集用フォーマットでなるノンリニア編集用シーケンスデータＮＳＤ１０（後述する）を生成し、当該ノンリニア編集用シーケンスデータＮＳＤ１０をハードディスク１４に保存する。
【００２９】
そしてノンリニア編集装置３Ａは、ハードディスク１４からノンリニア編集用シーケンスデータＮＳＤ１０を読み出し、当該ノンリニア編集用シーケンスデータＮＳＤ１０の映像データ部分を映像データ処理部１５で復調処理等することにより映像信号を得、当該映像信号を第１のディスプレイ１８及び第２のディスプレイ１９から出力する。このとき同時にノンリニア編集装置３Ａは、ノンリニア編集用シーケンスデータＮＳＤ１０の音声データ部分を音声処理部１６で復調処理等することにより音声信号を得、当該音声信号をスピーカ２０から出力するようになされている。
【００３０】
このようにノンリニア編集装置３Ａは、ノンリニア編集用シーケンスデータＮＳＤ１０を第１のディスプレイ１８、第２のディスプレイ１９及びスピーカ２０から出力することによりオペレータに対してノンリニア編集用シーケンスデータＮＳＤ１０の映像及び音声を確認させることができるので、オペレータに対してノンリニア編集用シーケンスデータＮＳＤ１０の内容を実際に確認させながら編集処理を実行させ得るようになされている。
【００３１】
（３）編集処理手順
次にノンリニア編集装置３Ａによる編集処理手順の説明を図４、図５、図６のフローチャート及び図７、図８、図１０、図１１、図１２の画面構成を用いて説明する。
【００３２】
図４に示すようにノンリニア編集装置３Ａの制御部１０は、ルーチンＲＴ１の開始ステップから入ってステップＳＰ１に移る。ステップＳＰ１において制御部１０は、図７に示すように第１のディスプレイ１８にメイン画面４０を表示すると共に、図８に示すように第２のディスプレイ１９にＳＭＩＬファイル選択画面５０を表示し、次のステップＳＰ２へ移る。
【００３３】
メイン画面４０（図７）には、編集処理の終了操作等を実行するためのメニュー（図示せず）を表示するためのメニューボタン４１、ノンリニア編集装置３Ａに内蔵しているハードディスク１４のディレクトリ構造を表示するディレクトリ表示領域４２、当該ハードディスク１４に保存したノンリニア編集用シーケンスデータＮＳＤ１０と当該ノンリニア編集用シーケンスデータＮＳＤ１０を構成する後述のノンリニア編集用映像クリップ及びノンリニア編集用音声クリップとを表示するデータ表示領域４３が設けられている。なお図７においては、まだノンリニア編集用シーケンスデータＮＳＤ１０と、ノンリニア編集用映像クリップ及びノンリニア編集用音声クリップとをハードディスク１４に保存していないため、データ表示領域４３には何も表示されていない状態である。
【００３４】
一方、ＳＭＩＬファイル選択画面５０（図８）には、ノンリニア編集装置３Ａとインターネット４を介して接続されている接続先としてのサーバ２やノンリニア編集装置３Ｂ等を表示する接続先表示領域５１、接続先である例えばサーバ２に保存されたＳＭＩＬファイルＳＦ１０（「ＳＦ１０．ｓｍｉ」）、ＳＦ１１（「ＳＦ１１．ｓｍｉ」）、…のリストを表示するＳＭＩＬファイルリスト表示領域５２、ＳＭＩＬファイルリスト表示領域５２に表示されたＳＭＩＬファイルＳＦ１０（「ＳＦ１０．ｓｍｉ」）、ＳＦ１１（「ＳＦ１１．ｓｍｉ」）、…のうち所望の例えばＳＭＩＬファイルＳＦ１０（「ＳＦ１０．ｓｍｉ」）の記述に基づくシーケンスデータＳＤ１０の映像をプレビュー再生するためのプレビュー再生操作アイコン５３、プレビュー再生操作アイコン５３の操作に応じてシーケンスデータＳＤ１０の映像を再生表示するプレビュー映像表示領域５４、サーバ２に保存されたＳＭＩＬファイルＳＦ１０の記述を基にノンリニア編集装置３Ａにおける編集処理に最適化した所定の編集用フォーマットでなるノンリニア編集用シーケンスデータＮＳＤ１０（後述する）を生成してハードディスク１４に保存する（以下、これをインポート処理と呼ぶ）ためのインポートアイコン５５が設けられている。
【００３５】
ステップＳＰ２（図４）において制御部１０は、オペレータにより操作部１３を介してＳＭＩＬファイル選択画面５０（図８）の接続先表示領域５１に表示された接続先の中から例えばサーバ２が選択されると、当該サーバ２が接続先として選択されたことを認識すると共に、当該サーバ２に保存されているＳＭＩＬファイルＳＦ１０（「ＳＦ１０．ｓｍｉ」）、ＳＦ１１（「ＳＦ１１．ｓｍｉ」）、…のリストをＳＭＩＬファイルリスト表示領域５２に表示し、次のステップＳＰ３へ移る。
【００３６】
ステップＳＰ３において制御部１０は、オペレータにより操作部１３を介してＳＭＩＬファイルリスト表示領域５２に表示されたＳＭＩＬファイルＳＦ１０（「ＳＦ１０．ｓｍｉ」）、ＳＦ１１（「ＳＦ１０．ｓｍｉ」）、…の中から例えばＳＭＩＬファイルＳＦ１０（「ＳＦ１０．ｓｍｉ」）が選択されると、これを認識し、次のステップＳＰ４へ移る。
【００３７】
ステップＳＰ４において制御部１０は、オペレータにより操作部１３を介してＳＭＩＬファイルＳＦ１０（「ＳＦ１０．ｓｍｉ」）に対するプレビュー再生操作アイコン５３の操作が行われたか否かを判定する。
【００３８】
ここで肯定結果が得られると、このとき制御部１０はステップＳＰ５へ移って、ＳＭＩＬファイルＳＦ１０（「ＳＦ１０．ｓｍｉ」）をサーバ２からダウンロードすると共に、当該ＳＭＩＬファイルＳＦ１０（「ＳＦ１０．ｓｍｉ」）に記述された素材データ名に対応する映像データＶＤ１０〜ＶＤ１２及び音声データＡＤ１０及びＡＤ１１をサーバ２からダウンロードし、当該ＳＭＩＬファイルＳＦ１０（「ＳＦ１０．ｓｍｉ」）を編集リストとして利用し、当該ＳＭＩＬファイルＳＦ１０（「ＳＦ１０．ｓｍｉ」）の記述に従ってシーケンスデータＳＤ１０を生成する。なお、ここではシーケンスデータＳＤ１０をプレビュー再生するのみで編集処理を行わないので、シーケンスデータＳＤ１０を所定の編集用フォーマットに変換しない。
【００３９】
そして制御部１０は、シーケンスデータＳＤ１０の映像をプレビュー映像表示領域５４で再生表示すると共に、当該シーケンスデータＳＤ１０の音声をスピーカ２０から出力する。また制御部１０は、オペレータによるプレビュー再生操作アイコン５３の操作に応じて例えば早送り再生や巻き戻し再生等の再生処理をシーケンスデータＳＤ１０に対して実行し、次のステップＳＰ６へ移る。
【００４０】
これに対してステップＳＰ４で否定結果が得られると、このことはオペレータによりプレビュー操作アイコン５３が操作されていないことを表しており、このとき制御部１０は、ステップＳＰ６へ移る。
【００４１】
ステップＳＰ６において制御部１０は、オペレータにより操作部１３を介してインポートアイコン５５が押下されたか否かを判定する。
【００４２】
ここで肯定結果が得られると、このとき制御部１０は、インポートアイコン５５が押下されたことを認識し、ＳＭＩＬファイルＳＦ１０のインポートを開始した後、次のステップＳＰ７へ移る。
【００４３】
これに対してステップＳＰ６で否定結果が得られると、制御部１０は、ステップＳＰ２に戻り、インポートアイコン５５が押下されるまでステップＳＰ２からステップＳＰ６の処理を繰り返し行う。
【００４４】
ステップＳＰ７（図５）において制御部１０は、ＳＭＩＬファイルＳＦ１０をサーバ２からダウンロードし、当該ＳＭＩＬファイルＳＦ１０を編集リストとして利用することにより当該ＳＭＩＬファイルＳＦ１０に記述された素材データ名に対応する映像データＶＤ１０〜ＶＤ１２及び音声データＡＤ１０、ＡＤ１１とをサーバ２からダウンロードし、ステップＳＰ８へ移る。
【００４５】
例えば、映像データＶＤ１０〜ＶＤ１２は、ＡＶＩ（Ａｕｄｉｏ  Ｖｉｄｅｏ  Ｉｎｔｅｒｌｅａｖｅ）形式、ＭＰＥＧ（Ｍｏｖｉｎｇ  Ｐｉｃｔｕｒｅ  Ｅｘｐｅｒｔ  Ｇｒｏｕｐ）形式、ｒｍ（Ｒｅａｌ  Ｍｅｄｉａ）形式、ｑｔ（Ｑｕｉｃｋ  Ｔｉｍｅ）形式等の種々の映像フォーマットでなる映像データであり、また音声データＡＤ１０及びＡＤ１１は、ｗａｖ（Ｗａｖｅ）形式、ｍｐ３（ＭＰＥＧ  Ａｕｄｉｏ  Ｌａｙｅｒ３）形式、ｒａ（Ｒｅａｌ  Ａｕｄｉｏ）形式等の種々の音声フォーマートでなる音声データである。
【００４６】
このように映像データＶＤ１０〜ＶＤ１２及び音声データＡＤ１０、ＡＤ１１がそれぞれ異なる映像フォーマット及び音声フォーマットで生成されている場合、制御部１０は、これら異なるフォーマットをそれぞれデコードして編集処理を実行すると、非常に重い負荷がかかってしまうことによりリアルタイムに編集処理を実行できない場合がある。
【００４７】
このため制御部１０は、映像データＶＤ１０〜ＶＤ１２及び音声データＡＤ１０、ＡＤ１１を、編集処理の実行に最適化した所定の編集用フォーマットに全て変換してから編集処理を実行することにより、リアルタイムに編集処理を実行し得るようになされている。
【００４８】
すなわちステップＳＰ８において制御部１０は、映像データＶＤ１０、ＶＤ１１及びＶＤ１２をノンリニア編集装置３Ａにおける編集処理に最適化した編集用フォーマットに変換することにより、ノンリニア編集用映像データＮＶＤ１０、ＮＶＤ１１及びＮＶＤ１２（図９）を生成し、さらにＳＭＩＬファイルＳＦ１０の編集点情報に基づいてノンリニア編集用映像データＮＶＤ１０、ＮＶＤ１１及びＮＶＤ１２の所望映像部分を切り出し、これらをノンリニア編集用映像クリップＮＶＣ１０、ＮＶＣ１１及びＮＶＣ１２としてハードディスク１４に保存する。
【００４９】
また制御部１０は、音声データＡＤ１０及びＡＤ１１をノンリニア編集装置３Ａにおける編集処理に最適化した編集用フォーマットに変換することにより、ノンリニア編集用音声データＮＡＤ１０及びＮＡＤ１１を生成し、さらにＳＭＩＬファイルＳＦ１０の編集点情報に基づいてノンリニア編集用音声データＮＡＤ１０及びＮＡＤ１１の所望音声部分を切り出し、これらをノンリニア編集用音声クリップＮＡＣ１０及びＮＡＣ１１としてハードディスク１４に保存し、次のステップＳＰ９へ移る。
【００５０】
ステップＳＰ９において制御部１０は、図９に示すようにＳＭＩＬファイルＳＦ１０に記述された編集処理情報に基づいてノンリニア編集用映像クリップＮＶＣ１０〜ＮＶＣ１２及びノンリニア編集用音声クリップＮＡＣ１０、ＮＡＣ１１を繋ぎ合わせることにより、ノンリニア編集装置３Ａにおける編集処理に最適化した所定の編集用フォーマットでなるノンリニア編集用シーケンスデータＮＳＤ１０を生成する。
【００５１】
そして制御部１０は、ノンリニア編集用シーケンスデータＮＳＤ１０をハードディスク１４に保存し終わると、ＳＭＩＬファイルＳＦ１０のインポート処理を終了し、次のステップＳＰ１０へ移る。
【００５２】
このように制御部１０は、編集処理に最適化した所定の編集用フォーマットに変換されたノンリニア編集用映像クリップＮＶＣ１０、ＮＶＣ１１、ＮＶＣ１２及びノンリニア編集用音声クリップＮＡＣ１０、ＮＡＣ１１を基にノンリニア編集用シーケンスデータＮＳＤ１０を生成することにより、当該ノンリニア編集用シーケンスデータＮＳＤ１０に対する編集処理を少ない負荷で実行することができるので、編集処理をリアルタイムに実行し得るようになされている。
【００５３】
ステップＳＰ１０において制御部１０は、図１０に示すように、メイン画面４０のデータ表示領域４３にノンリニア編集用映像クリップＮＶＣ１０〜ＮＶＣ１２をそれぞれハードディスク１４に保存し終えたことを示す映像クリップ保存アイコンＮＶＣ１０Ａ〜ＮＶＣ１２Ａを表示すると共に、ノンリニア編集用音声クリップＮＡＣ１０及びＮＡＣ１１をそれぞれハードディスク１４に保存し終えたことを示す音声クリップ保存アイコンＮＡＣ１０Ａ及びＮＡＣ１１Ａを表示し、さらにノンリニア編集用シーケンスデータＮＳＤ１０をハードディスク１４に保存し終えたことを示すシーケンスデータ保存アイコンＮＳＤ１０Ａを表示する。
【００５４】
これにより制御部１０は、オペレータに対してノンリニア編集用映像クリップＮＶＣ１０〜ＮＶＣ１２、ノンリニア編集用音声クリップＮＡＣ１０及びＮＡＣ１１、ノンリニア編集用シーケンスデータＮＳＤ１０をそれぞれハードディスク１４に保存し終えたことをメイン画面４０のデータ表示領域４３に表示された映像クリップ保存アイコンＮＶＣ１０Ａ〜ＮＶＣ１２Ａ、音声クリップ保存アイコンＮＡＣ１０Ａ及びＮＡＣ１１Ａ、シーケンスデータ保存アイコンＮＳＤ１０Ａを介して瞬時に目視確認させ得るようになされている。
【００５５】
続いて制御部１０は、サブルーチンＳＲＴ１（図６）へ移って後述する編集画面（図１１）での編集処理を開始する。
【００５６】
すなわち制御部１０は、図６に示すサブルーチンＳＲＴ１の開始ステップから入ってステップＳＰ１２へ移る。
【００５７】
ステップＳＰ１２において制御部１０は、第２のディスプレイ１９に表示されているＳＭＩＬファイル選択画面５０（図８）を閉じ、代わりに図１１に示す編集画面６０を表示すると共に、ノンリニア編集用映像クリップＮＶＣ１０〜ＮＶＣ１２とノンリニア編集用音声クリップＮＡＣ１０、ＮＡＣ１１及びノンリニア編集用シーケンスデータＮＳＤ１０とをハードディスク１４から読み出し、ステップＳＰ１３へ移る。
【００５８】
編集画面６０には、タイムライン表示領域６１、編集用アイコン表示領域６２、編集前映像表示領域６３、編集前編集点表示領域６４、編集後映像表示領域６５、編集後編集点表示領域６６が設けられている。
【００５９】
タイムライン表示領域６１には、タイムライン上に展開したノンリニア編集用シーケンスデータＮＳＤ１０を構成するノンリニア編集用映像クリップＮＶＣ１０〜ＮＶＣ１２の概要を表示するための映像クリップ表示領域６１Ａと、ノンリニア編集用音声クリップＮＡＣ１０及びＮＡＣ１１の概要を表示するための音声クリップ表示領域６１Ｂとが設けられている。
【００６０】
そして映像クリップ表示領域６１Ａには、ノンリニア編集用シーケンスデータＮＳＤ１０を構成するノンリニア編集用映像クリップＮＶＣ１０、ＮＶＣ１１及びＮＶＣ１２をそれぞれ表す映像クリップアイコンＮＶＣ１０Ｂ、ＮＶＣ１１Ｂ及びＮＶＣ１２Ｂがタイムラインに沿って再生順に表示されるようになされている。
【００６１】
さらに映像クリップ表示領域６１Ａには、ＳＭＩＬファイルＳＦ１０に記述されたエフェクト情報を基に例えばノンリニア編集用映像クリップＮＶＣ１０、ＮＶＣ１２に対してそれぞれ施されたズームイン及びズームアウト処理を表すエフェクトアイコンＥ１、Ｅ２や、ノンリニア編集用映像クリップＮＶＣ１２とＮＶＣ１１との間に施されたフェードイン及びフェードアウト処理を表すエフェクトアイコンＥ３等の種々のエフェクト情報がアイコンで表示されるようになされている。
【００６２】
また音声クリップ表示領域６１Ｂには、ノンリニア編集用シーケンスデータＮＳＤ１０を構成するノンリニア編集用音声クリップＮＡＣ１０、ＮＡＣ１１をそれぞれ表す音声波形ＡＷ１０、ＡＷ１１がタイムラインに沿って表示されるようになされている。
【００６３】
このようにタイムライン表示領域６１は、ＳＭＩＬファイルＳＦ１０に記述された編集処理情報に基づいて生成したノンリニア編集用シーケンスデータＮＳＤ１０の大まかな構成をオペレータに目視確認させ得ると共に、ＳＭＩＬファイルＳＦ１０に記述されたエフェクト情報等の種々の編集処理情報をエフェクトアイコンＥ１、Ｅ２及びＥ３等を介してオペレータに目視確認させ得るようになされている。
【００６４】
編集用アイコン表示領域６２には、ノンリニア編集用シーケンスデータＮＳＤ１０に対してズームイン及びズームアウト処理やフェードイン及びフェードアウト処理等の種々のエフェクト処理を施すためのエフェクトアイコン、ノンリニア編集用シーケンスデータＮＳＤ１０の再生や早送り等を行う再生操作アイコン等、ノンリニア編集用シーケンスデータＮＳＤ１０に対する編集処理を容易に実行し得るための様々な編集用アイコンが表示されている。
【００６５】
編集前映像表示領域６３には、ノンリニア編集用シーケンスデータＮＳＤ１０を構成する例えばノンリニア編集用映像クリップＮＶＣ１２の映像が表示されるようになされており、また編集前映像表示領域６３に表示されたノンリニア編集用映像クリップＮＶＣ１２に対するイン点（例えば００：００：００：０５）及びアウト点（例えば００：０２：００：００）を示す編集点情報が編集前編集点表示領域６４に表示されるようになされている。
【００６６】
編集後映像表示領域６５には、編集前映像表示領域６３に表示されたノンリニア編集用映像クリップＮＶＣ１２に対してオペレータによる編集用アイコン表示領域６２のエフェクトアイコン等の操作に応じた編集処理後の映像が表示されるようになされており、また編集後表示領域６５に表示された編集処理後のノンリニア編集用映像クリップＮＶＣ１２に対するイン点（例えば００：００：００：０５）及びアウト点（例えば００：０２：００：００）を示す編集点情報が編集後編集点表示領域６６に表示されるようになされている。
【００６７】
実際上、例えば新たにノンリニア編集用映像クリップＮＶＣ１１に対してズームイン処理を施すと共に、イン点（例えば００：０２：００：０５）及びアウト点（例えば００：０５：００：００）を変更するようにオペレータによって編集用アイコン表示領域６２の編集用アイコンが操作されると、図１２に示すように編集画面６０では、ズームイン処理を表すエフェクトアイコンＥ４が映像クリップ表示領域６１Ａに追加表示されると共に、ズームイン処理が施されたノンリニア編集用映像クリップＮＶＣ１１が編集後映像表示領域６５に対してリアルタイムに表示され、また変更後のイン点（例えば００：０２：０５：００）及びアウト点（例えば００：０４：３０：００）が編集後編集点表示領域６６に表示されるようになされている。
【００６８】
このようにノンリニア編集装置３Ａは、編集画面６０（図１１、図１２）を介してＳＭＩＬファイルＳＦ１０の記述に基づいたノンリニア編集用シーケンスデータＮＳＤ１０に対する全ての編集処理情報をオペレータに目視確認させ得ると共に、オペレータによる編集用アイコン表示領域６２の編集用アイコンの操作に応じたノンリニア編集用シーケンスデータＮＳＤ１０に対する編集処理をリアルタイムに目視確認させ得るようになされている。
【００６９】
これによりオペレータは、編集画面６０を介してＳＭＩＬファイルＳＦ１０の編集処理情報を確認しながら編集用アイコン表示領域６２の編集用アイコンを操作して高度な編集処理を容易に実行することができる。
【００７０】
ステップＳＰ１３（図６）において制御部１０は、オペレータの編集操作に応じてノンリニア編集用シーケンスデータＮＳＤ１０を書き換え、次のステップＳＰ１４へ移る。
【００７１】
ステップＳＰ１４において制御部１０は、オペレータによってメイン画面４０（図１０）のメニューボタン４１から編集作業の終了操作がなされたか否かを判定する。
【００７２】
ここで否定結果が得られると、このとき制御部１０は、引き続きオペレータによって編集画面６０（図１１、図１２）での編集作業が行われていると判断し、ステップＳＰ１２に戻る。
【００７３】
これに対してステップＳＰ１４で肯定結果が得られると、このとき制御部１０は、オペレータによって編集作業の終了操作がなされたことを認識し、次のステップＳＰ１５へ移る。
【００７４】
ステップＳＰ１５において制御部１０は、オペレータの編集操作に応じて書き換えた編集処理後のノンリニア編集用シーケンスデータＮＳＤ１０をハードディスク１４に更新して保存すると共に、当該更新後のノンリニア編集用シーケンスデータＮＳＤ１０に基づいて新たなＳＭＩＬファイルＳＦ１０Ｎを生成し、当該ＳＭＩＬファイルＳＦ１０Ｎをハードディスク１４に保存した後、次のステップＳＰ１１へ移って編集処理手順を終了する。
【００７５】
（４）動作及び効果
以上の構成においてノンリニア編集装置３Ａは、サーバ２からＳＭＩＬファイルＳＦ１０をダウンロードし、当該ＳＭＩＬファイルＳＦ１０を編集リストとして利用することにより当該ＳＭＩＬファイルＳＦ１０に記述された素材データ名に対応する映像データＶＤ１０〜ＶＤ１２及び音声データＡＤ１０、ＡＤ１１をダウンロードする。
【００７６】
次にノンリニア編集装置３Ａは、ダウンロードした映像データＶＤ１０〜ＶＤ１２及び音声データＡＤ１０、ＡＤ１１をそれぞれノンリニア編集装置３Ａにおける編集処理に最適化した所定の編集用フォーマットに変換することによりノンリニア編集用映像データＮＶＤ１０〜ＮＶＤ１２及びノンリニア編集用音声データＮＡＤ１０、ＮＡＤ１１を生成する。
【００７７】
続いてノンリニア編集装置３Ａは、ＳＭＩＬファイルＳＦ１０に記述された編集点情報に基づいてノンリニア編集用映像データＮＶＤ１０〜ＮＶＤ１２からノンリニア編集用映像クリップＮＶＣ１０〜ＮＶＣ１２を切り出すと共に、ノンリニア編集用音声データＮＡＤ１０、ＮＡＤ１１からノンリニア編集用音声クリップＮＡＣ１０、ＮＡＣ１１を切り出し、当該ノンリニア編集用映像クリップＮＶＣ１０〜ＮＶＣ１２及びノンリニア編集用音声クリップＮＡＣ１０、ＮＡＣ１１をハードディスク１４に保存する。
【００７８】
そしてノンリニア編集装置３Ａは、ＳＭＩＬファイルＳＦ１０に記述された編集処理情報に従ってノンリニア編集用映像クリップＮＶＣ１０〜ＮＶＣ１２及びノンリニア編集用音声クリップＮＡＣ１０、ＮＡＣ１１を繋ぎ合わせてノンリニア編集用シーケンスデータＮＳＤ１０を生成し、当該ノンリニア編集用シーケンスデータＮＳＤ１０をハードディスク１４に保存する。
【００７９】
このようにノンリニア編集装置３Ａは、編集処理に最適化した所定の編集用フォーマットでなるノンリニア編集用映像クリップＮＶＣ１０〜ＮＶＣ１２及びノンリニア編集用音声クリップＮＡＣ１０、ＮＡＣ１１を基にノンリニア編集用シーケンスデータＮＳＤ１０を生成することにより、当該ノンリニア編集用シーケンスデータＮＳＤ１０に対する編集処理を少ない負荷で実行することができるので、かくして当該ノンリニア編集用シーケンスデータＮＳＤ１０に対する編集処理をリアルタイムに実行することができる。
【００８０】
続いてノンリニア編集装置３Ａは、ノンリニア編集用シーケンスデータＮＳＤ１０をハードディスク１４から読み出し、当該ノンリニア編集用シーケンスデータＮＳＤ１０を構成するノンリニア編集用映像クリップＮＶＣ１０〜ＮＶＣ１２を示す映像クリップアイコンＮＶＣ１０Ｂ〜ＮＶＣ１２Ｂや、ノンリニア編集用音声クリップＮＡＣ１０及びＮＡＣ１１を示す音声波形ＡＨ１０及びＡＨ１１、ＳＭＩＬファイルＳＦ１０に記述されたエフェクト情報に基づくエフェクトアイコンＥ１、Ｅ２及びＥ３等を編集画面６０のタイムライン表示領域６１に表示する。
【００８１】
そしてノンリニア編集装置３Ａは、オペレータによる編集用アイコン表示領域６２の編集用アイコンの操作に応じて、ノンリニア編集用シーケンスデータＮＳＤ１０を書き換えると共に、エフェクトアイコンＥ４をタイムライン表示領域６１に追加表示し、編集後のノンリニア編集用映像クリップＮＶＣ１２を編集後映像表示領域６５にリアルタイムに表示する。
【００８２】
これによりノンリニア編集装置３Ａは、編集画面６０を介してＳＭＩＬファイルＳＦ１０の記述に基づくノンリニア編集用シーケンスデータＮＳＤ１０の全ての編集処理情報をオペレータに目視確認させることができると共に、オペレータによる編集用アイコン表示領域６２の編集用アイコンの操作に応じたノンリニア編集用シーケンスデータＮＳＤ１０に対する様々な編集処理をオペレータに対してリアルタイムに目視確認させることができるので、オペレータに対して高度な編集処理を容易にかつ瞬時に実行させることができる。
【００８３】
さらにノンリニア編集装置３Ａは、オペレータによる編集作業が終了した後、編集処理後のノンリニア編集用シーケンスデータＮＳＤ１０をハードディスク１４に更新して保存すると共に、当該更新後のノンリニア編集用シーケンスデータＮＳＤ１０に基づいて新たなＳＭＩＬファイルＳＦ１０Ｎを生成する。
【００８４】
すなわちＳＭＩＬファイルＳＦ１０Ｎには、ノンリニア編集装置３Ａで実行した編集処理内容の全てが編集処理情報として記述される。
【００８５】
そして例えばノンリニア編集装置３Ｂがノンリニア編集装置３Ａで生成されたＳＭＩＬファイルＳＦ１０Ｎをインターネット４を介してインポート処理することにより、ノンリニア編集装置３Ａで編集処理されたノンリニア編集用シーケンスデータＮＳＤ１０をノンリニア編集装置３Ｂで生成することができ、当該ノンリニア編集装置３Ｂでノンリニア編集用シーケンスデータＮＳＤ１０に対する編集処理を継続して実行することができる。
【００８６】
またＳＭＩＬファイルＳＦ１０Ｎは、汎用性のあるＳＭＩＬ形式であるため、ノンリニア編集装置３Ａとノンリニア編集装置３Ｂとが互いに異なる種類であっても、双方でＳＭＩＬファイルＳＦ１０Ｎのインポート処理を実行することができる。
【００８７】
以上の構成によれば、ノンリニア編集装置３Ａは、汎用性のあるＳＭＩＬ形式のＳＭＩＬファイルＳＦ１０を編集リストとして利用することにより当該ＳＭＩＬファイルＳＦ１０に記述された多様な編集処理情報を基にノンリニア編集用シーケンスデータＮＳＤ１０を生成し、当該ノンリニア編集用シーケンスデータＮＳＤ１０に対する多様な編集処理を実行することができ、また当該編集処理を実行した後に当該編集処理の内容を記述したＳＭＩＬ形式のＳＭＩＬファイルＳＦ１０Ｎを生成することができる。
【００８８】
（５）他の実施の形態
なお上述の実施の形態においては、編集装置としてのノンリニア編集装置３Ａにネットワークインタフェース１２を設け、当該ネットワークインタフェース１２を介してサーバ２やノンリニア編集装置３Ｂと接続する場合について述べたが、本発明はこれに限らず、例えばノンリニア編集装置３ＡにＵＳＢ（Ｕｎｉｖｅｒｓａｌ  Ｓｅｒｉａｌ  Ｂｕｓ）インタフェースやＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェースを設け、当該ＵＳＢインタフェースやＩＥＥＥ１３９４インタフェースを介してＳＭＩＬファイルＳＦ１０、ＳＦ１１、…と、被編集素材としての映像データＶＤ１０、ＶＤ１１、…及び音声データＡＤ１０、ＡＤ１１、…とを保存している例えば外付けハードディスクや光ディスクドライブ等とノンリニア編集装置３Ａとを接続するようにしてもよい。
【００８９】
この場合ノンリニア編集装置３Ａは、外付けハードディスクや光ディスクドライブに保存された例えばＳＭＩＬファイルＳＦ１０と、映像データＶＤ１０〜ＶＤ１２及び音声データＡＤ１０、ＡＤ１１とを基に映像コンテンツとしてのノンリニア編集用シーケンスデータＮＳＤ１０を生成し、当該ノンリニア編集用シーケンスデータＮＳＤ１０に対して編集処理を実行することができる。
【００９０】
また上述の実施の形態においては、素材データとして映像データＶＤ１０、ＶＤ１１、…及び音声データＡＤ１０、ＡＤ１１、…とを用いた場合について述べたが、本発明はこれに限らず、静止画像データやテキストデータ等を素材データとして用いるようにしてもよい。
【００９１】
さらに上述の実施の形態においては、汎用データ記述言語としてＳＭＩＬを用いる場合について述べたが、本発明はこれに限らず、ＥＤＬと比して多様な編集処理に応じた編集処理情報を記述できる汎用データ記述言語であれば、他の種々の汎用データ記述言語を用いるようにしてもよい。
【００９２】
さらに上述の実施の形態においては、編集リスト認識部、映像コンテンツ生成部、編集処理部及び編集リスト生成部としての制御部１０や、ネットワークインタフェース１２、ハードディスク１４、映像データ処理部１５、音声データ処理部１６、第１のディスプレイ１８、第２のディスプレイ１９、スピーカ２０によってノンリニア編集装置３Ａを構成する場合について述べたが、本発明はこれに限らず、この他の種々の回路構成によりノンリニア編集装置３Ａを構成するようにしてもよい。
【００９３】
【発明の効果】
上述のように本発明によれば、汎用性のある編集リストに記述された多様な編集処理情報を基に編集処理を実行することができると共に、編集処理に応じて新たな編集リストを生成することができるので、編集装置の種類に関わらず一段と高度な編集処理を実行することができ、かくして編集装置の種類を問わず、いずれの編集装置においても一段と高度な編集処理を実行し得る編集装置を実現できる。
【図面の簡単な説明】
【図１】本発明を適用した編集システムの全体構成を示す略線図である。
【図２】シーケンスデータの構成を示す略線図である。
【図３】ノンリニア編集装置の構成を示す略線図である。
【図４】編集処理手順を示すフローチャートである。
【図５】図４の編集処理手順に続くフローチャートである。
【図６】編集画面での編集処理手順を示すフローチャートである。
【図７】メイン画面（インポート前）を示す略線図である。
【図８】ＳＭＩＬファイル選択画面を示す略線図である。
【図９】ノンリニア編集用シーケンスデータの構成を示す略線図である。
【図１０】メイン画面（インポート後）を示す略線図である。
【図１１】編集画面（編集前）を示す略線図である。
【図１２】編集画面（編集後）を示す略線図である。
【図１３】従来のシーケンスデータの構成を示す略線図である。
【符号の説明】
１……編集システム、２……サーバ、３Ａ、３Ｂ……ノンリニア編集装置、４……インターネット、１０……制御部、１２……ネットワークインタフェース、１３……操作部、１４……ハードディスク、４０……メイン画面、５０……ＳＭＩＬファイル選択画面、５５……インポートアイコン、６０……編集画面、６１……タイムライン表示領域、６２……編集用アイコン表示領域、６３……編集前映像表示領域、６５……編集後映像表示領域、（ＶＤ１０、ＶＤ１１……）……映像データ、（ＡＤ１０、ＡＤ１１……）……音声データ、（ＮＳＤ１０、ＮＳＤ１１……）……ノンリニア編集用シーケンスデータ、（ＳＦ１０、ＳＦ１１……、ＳＦ１０Ｎ、ＳＦ１１Ｎ……）……ＳＭＩＬファイル。
【図１】
2004310889.tif 000003
【図２】
2004310889.tif 000004
【図３】
2004310889.tif 000005
【図４】
2004310889.tif 000006
【図５】
2004310889.tif 000007
【図６】
2004310889.tif 000008
【図７】
2004310889.tif 000009
【図８】
2004310889.tif 000010
【図９】
2004310889.tif 000011
【図１０】
2004310889.tif 000012
【図１１】
2004310889.tif 000013
【図１２】
2004310889.tif 000014
【図１３】
2004310889.tif 000015